(57)【特許請求の範囲】
【請求項１】
レンズ装置のフォーカスレンズが現在設定されているフォーカスレンズ位置を取得し、又は、前記フォーカスレンズの設定すべき位置としてフォーカス指示手段からレンズ装置に指示されているフォーカスレンズ位置を取得するフォーカスレンズ位置取得手段と、
前記フォーカスレンズの移動方向ごとにフォーカスレンズ位置と被写体距離とを対応付ける特性データを事前に記憶した特性データ記憶手段と、
前記フォーカスレンズ位置取得手段により取得されたフォーカスレンズ位置に前記フォーカスレンズが到達するまでの移動方向を検出するフォーカスレンズ移動方向検出手段と、
前記フォーカスレンズ移動方向検出手段により検出されたフォーカスレンズの移動方向についての特性データを前記特性データ記憶手段から取得し、該取得した特性データに基づいて、前記フォーカスレンズ位置取得手段により取得されたフォーカスレンズ位置に対応する被写体距離を算出する被写体距離算出手段と、
前記被写体距離算出手段により算出された被写体距離を表示する表示手段と、
を備えたことを特徴とする被写体距離表示装置。
【請求項２】
前記フォーカスレンズ位置取得手段により取得されたフォーカスレンズ位置に対応する被写体距離の実測値を受入する実測値受入手段と、該実測値受入手段により実測値が受入された際のフォーカスレンズ位置に前記フォーカスレンズが到達するまでの移動方向を前記フォーカスレンズ移動方向検出手段により検出し、該検出した移動方向についての特性データとして前記実測値受入手段により受入された実測値を前記フォーカスレンズ位置と関連付けして前記記憶手段に記憶させる特性データ生成手段とを備えたことを特徴とする請求項１の被写体距離表示装置。
【発明の詳細な説明】
【０００１】
【発明の属する技術分野】
本発明は被写体距離表示装置に係り、特にテレビカメラ用のレンズ装置において合焦する被写体の距離を表示する被写体距離表示装置に関する。
【０００２】
【従来の技術】
放送用テレビカメラ等に使用されるテレビレンズシステムにおいて、レンズ装置のフォーカスレンズ（群）が現在設定されているフォーカスレンズ位置、又は、フォーカスデマンド等のフォーカス指示手段からレンズ装置に指示されているフォーカスレンズ位置を取得し、その取得したフォーカスレンズ位置において合焦される被写体の距離を求めて被写体距離を表示する被写体距離表示装置が提案されている（特願２００１−８５１３６号、特願２００１−２８５２３６号参照）。被写体距離を求めるためには、事前にフォーカスレンズ位置と被写体距離との対応付けを行っておく必要があるが、例えば、次のような方法で対応付けが行われる。まず、ある位置に測定物を配置してレンズ装置からその測定物までの距離を実測しておき、レンズ装置のフォーカスレンズを駆動してその測定物にピントを合わせる。被写体距離表示装置においては、レンズ装置からそのとき設定されているフォーカスレンズ位置が取得される。ここで、被写体距離表示装置に測定物までの距離を実測した実測値を入力する。これによって、そのときレンズ装置で設定されているフォーカスレンズ位置と被写体距離との対応付けが行われる。このような作業を測定物の距離を変えて繰り返し行うことで、複数のフォーカスレンズ位置と被写体距離とが対応付けされる。これを基にフォーカスレンズ位置と被写体距離との関係を示す距離関数が求められ、フォーカスレンズ位置の可変範囲全域の各点と被写体距離とが対応付けされる。
【０００３】
【発明が解決しようとする課題】
しかしながら、フォーカスレンズと、フォーカスレンズの現在位置を検出する位置センサとの間には何らかの機械的・電気的ガタが存在するため、フォーカスレンズの操作方向（移動方向）が変わると、フォーカスレンズの実際の設定位置が同じであっても位置センサで検出されるフォーカスレンズ位置が操作方向によって異なり、表示される被写体距離の誤差が大きくなるという欠点があった。このため、従来は、フォーカスレンズの操作方向を常に同一になるようにして誤差の影響をなくすなどの工夫をしていたが、このような操作上の制限があると操作性が悪いなどの問題があった。
【０００４】
本発明はこのような事情に鑑みてなされたもので、フォーカスレンズの移動方向の違いによって生じる被写体距離の誤差を無くすことができる被写体距離表示装置を提供することを目的とする。
【０００５】
【課題を解決するための手段】
前記目的を達成するために、請求項１に記載の発明は、レンズ装置のフォーカスレンズが現在設定されているフォーカスレンズ位置を取得し、又は、前記フォーカスレンズの設定すべき位置としてフォーカス指示手段からレンズ装置に指示されているフォーカスレンズ位置を取得するフォーカスレンズ位置取得手段と、前記フォーカスレンズの移動方向ごとにフォーカスレンズ位置と被写体距離とを対応付ける特性データを事前に記憶した特性データ記憶手段と、前記フォーカスレンズ位置取得手段により取得されたフォーカスレンズ位置に前記フォーカスレンズが到達するまでの移動方向を検出するフォーカスレンズ移動方向検出手段と、前記フォーカスレンズ移動方向検出手段により検出されたフォーカスレンズの移動方向についての特性データを前記特性データ記憶手段から取得し、該取得した特性データに基づいて、前記フォーカスレンズ位置取得手段により取得されたフォーカスレンズ位置に対応する被写体距離を算出する被写体距離算出手段と、前記被写体距離算出手段により算出された被写体距離を表示する表示手段と、を備えたことを特徴としている。
【０００６】
また、請求項２に記載の発明は、請求項１に記載の発明において、前記フォーカスレンズ位置取得手段により取得されたフォーカスレンズ位置に対応する被写体距離の実測値を受入する実測値受入手段と、該実測値受入手段により実測値が受入された際のフォーカスレンズ位置に前記フォーカスレンズが到達するまでの移動方向を前記フォーカスレンズ移動方向検出手段により検出し、該検出した移動方向についての特性データとして前記実測値受入手段により受入された実測値を前記フォーカスレンズ位置と関連付けして前記記憶手段に記憶させる特性データ生成手段とを備えたことを特徴としている。
【０００７】
本発明によれば、フォーカスレンズ位置と被写体距離とを対応付ける特性データをフォーカスレンズの移動方向ごとに記憶しておき、フォーカスレンズの移動方向に応じた対応データに基づいてフォーカスレンズ位置から被写体距離を算出するようにしたため、フォーカスレンズの移動方向の違いによって被写体距離に誤差が生じる不具合が解消される。
【０００８】
【発明の実施の形態】
以下添付図面に従って本発明に係る被写体距離表示装置の好ましい実施の形態について詳説する。
【０００９】
図１は、本発明が適用されるテレビレンズシステムの全体構成を示した制御ブロック図である。まず、テレビレンズシステムにおいて使用されるレンズ装置１０の概略構成について説明する。レンズ装置１０には、例えば、周知のように、ズームレンズ（群）ＺＬ、フォーカスレンズ（群）ＦＬ、エクステンダレンズ  （群）ＥＬ、アイリスＩなどの光学部品が配置されている。また、これらの光学部品のそれぞれに対応してレンズ装置１０には、ズームモータＺＭ、フォーカスモータＦＭ、エクステンダモータＥＭ、及び、アイリスモータＩＭが設けられていると共に、各モータの動力を各光学部品に伝達する動力伝達機構（ギア列）ＺＧ、ＦＧ、ＥＧ、ＩＧが設けられている。各モータが回動すると、各光学部品が駆動され、例えば、ズームモータＺＭによりズームレンズＺＬが駆動されると撮影倍率が変化し、フォーカスモータＦＭによりフォーカスレンズＦＬが駆動されると撮影距離（合焦する被写体距離）が変化する。エクステンダモータＥＭによりエクステンダレンズＥＬが駆動されると撮影倍率が例えば１倍から２倍、又は、２倍から１倍に切り替わり、アイリスモータＩＭによりアイリスＩが駆動されると絞り位置（絞り径）が変化する。
【００１０】
一方、レンズ装置１０には、ズームコントローラＺＣ、フォーカスコントローラＦＣ、エクステンダコントローラＥＣからそれぞれズーム制御に関するズーム制御信号、フォーカス制御に関するフォーカス制御信号、エクステンダ制御に関するエクステンダ制御信号が与えられると共に、レンズ装置１０が装着されるカメラ本体からアイリス制御に関するアイリス制御信号が入力されるようになっている。これらの制御信号は、例えばアナログ信号であり、レンズ装置１０内におけるＡ／Ｄ変換器１２によりデジタル信号に変換される。
【００１１】
また、レンズ装置１０にはＣＰＵ１４が搭載されており、このＣＰＵ１４には、上記Ａ／Ｄ変換器１２によりデジタル信号に変換された各制御信号が入力されると共に、ズームレンズＺＬ、フォーカスレンズＦＬ、エクステンダレンズＥＬ、アイリスＩのそれぞれの現在位置を示す位置信号が各ポテンショメータＺＰ、ＦＰ、ＥＰ、ＩＰから入力されるようになっている。ＣＰＵ１４は、ズーム、フォーカス、エクステンダ、アイリスに関するそれぞれの制御信号及び位置信号に基づいて、ズームレンズＺＬ、フォーカスレンズＦＬ、エクステンダレンズＥＬ、アイリスＩが各制御信号により指示された目標位置又は目標速度となるように各モータＺＭ、ＦＭ、ＥＭ、ＩＭを駆動する駆動信号を出力する。
【００１２】
ここで、一般にズーム制御信号は、ズームの目標速度を指示するものであり、その他の制御信号は目標位置を指示するものである。また、ＣＰＵ１４から出力される駆動信号は、各モータの回転速度（回転方向も含む）を指示するものである。
【００１３】
ＣＰＵ１４から出力された駆動信号は、Ｄ／Ａ変換器１６によりアナログ信号に変換され、ズームモータＺＭに対する駆動信号はズーム用アンプＺＡに入力され、フォーカスモータＦＭに対する駆動信号はフォーカス用アンプＦＡに入力され、エクステンダモータＥＭに対する駆動信号はエクステンダ用アンプＥＡに入力され、アイリスモータＩＭに対する駆動信号はアイリス用アンプＩＡに入力される。各アンプＺＡ、ＦＡ、ＥＡ、ＩＡは、入力された駆動信号に応じた回転速度となるように対応する各モータへの印加電圧を制御する。これによって、ズームレンズＺＬ、フォーカスレンズＦＬ、エクステンダレンズＥＬ、アイリスＩが各制御信号により指示された目標位置又は目標速度に設定される。
【００１４】
以上のように構成されたレンズ装置１０に対し、本発明に係る被写体距離表示装置２０は、例えば、ケーブルによりレンズ装置１０の所定の通信用コネクタに着脱可能に接続される。尚、本実施の形態における被写体距離表示装置２０は、被写体距離だけでなく、その他の各種レンズ情報も表示されるため、以下、レンズ情報表示装置２０という。また、レンズ情報表示装置２０は、ネジ等によりレンズ装置１０等に着脱自在に固定できるようにしてもよい。また、レンズ情報表示装置２０は、レンズ情報表示用として専用に製作された装置でなくてもよく、市販のコンピュータ、例えば、パソコン（ノートパソコン等）やモバイル端末等であってもよい。更に、以下で説明するレンズ情報表示装置２０の処理をレンズ装置１０内のＣＰＵ１４等により行って、レンズ装置１０等に設置された表示部、又は、ビューファインダなどの表示画面に表示させるようにしてもよい。
【００１５】
レンズ情報表示装置２０にはＣＰＵ２２が搭載されると共にＳＣＩ（シリアルコミュニケーションインターフェース）２４が搭載されており、外部機器との通信が可能となっている。また、レンズ装置１０においてもＳＣＩ１８が搭載されており、外部機器との通信が可能となっている。従って、レンズ情報表示装置２０の通信用コネクタとレンズ装置１０の通信用コネクタとをケーブル等により接続すると、レンズ情報表示装置２０のＣＰＵ２２は、レンズ装置１０のＣＰＵ１４との間で通信により信号のやり取りを行うことができるようになっている。尚、レンズ情報表示装置２０とレンズ装置１０との間の通信手段は、有線に限らず無線であってもよいし、通信方式はどのような方式であってもよい。
【００１６】
レンズ情報表示装置２０のＣＰＵ２２は、このような通信手段を用いてレンズ装置１０のＣＰＵ１４に対して所要のレンズ情報の送信を要求し、ＣＰＵ１４から所要のレンズ情報を取得する。そして、取得したレンズ情報以外にレンズ情報表示装置２０のＬＣＤパネル２６に表示するレンズ情報がある場合には、そのレンズ情報を、レンズ装置１０から取得したレンズ情報に基づいて算出し、ＬＣＤパネル２６に表示するレンズ情報を表示用ドライバ２８を介してＬＣＤパネル２６に表示させる。尚、ＬＣＤパネル２６に表示するレンズ情報の内容や表示形態などは、操作スイッチ部３０の所定のスイッチによって操作者が切り替えることができるようになっているが、その説明は省略する。
【００１７】
ここで、レンズ情報表示装置２０のＣＰＵ２２においてレンズ装置１０から取得するレンズ情報は、レンズ装置１０のＣＰＵ１４において認識可能な情報であり、例えば、そのレンズ情報として、レンズ装置１０の光学仕様を示す仕様データやレンズ装置１０の型名、及び、ズームレンズＺＬ、フォーカスレンズＦＬ、エクステンダレンズＥＬ、アイリスＩの現在の設定位置を示す位置データなどがある。尚、ズームレンズＺＬ、フォーカスレンズＦＬ、エクステンダレンズＥＬ、アイリスＩの設定位置をそれぞれ、ズームレンズ位置、フォーカスレンズ位置、エクステンダレンズ位置（エクステンダ倍率）、絞り位置（絞り径）という。
【００１８】
仕様データには、レンズ装置１０から取得したレンズ情報以外のレンズ情報を算出する際に必要となるレンズ装置１０に固有のデータが含まれており、この仕様データと、ズームレンズ位置、フォーカスレンズ位置、エクステンダレンズ位置、絞り位置を示す上記位置データとを用いることによりレンズ装置１０から取得したレンズ情報と異なる所望のレンズ情報を求めることができる。尚、レンズ情報表示装置２０において多種のレンズ装置に対応した仕様データを予めメモリに登録しておき、仕様データをレンズ装置１０から取得する代わりに、レンズ装置１０の型名を取得することによってその型名に対応した仕様データをメモリから読み出すようにすることもでき、本実施の形態では、フォーカスレンズ位置に対応する被写体距離を算出する際に必要な後述の仕様データ（特性データ）は、レンズ情報表示装置２０に内蔵されたＥＥＰＲＯＭ３２に格納されているものとする。
【００１９】
一方、レンズ情報表示装置２０のＬＣＤパネル２６に表示するレンズ情報としては、例えば、レンズ装置１０から取得した現在のズームレンズ位置、フォーカスレンズ位置、エクステンダレンズ位置、絞り位置の他、被写体距離、被写界深度、焦点距離、画角、Ｆナンバー、Ｔナンバーなどがある。これらの被写体距離、被写界深度、焦点距離、画角、Ｆナンバー、Ｔナンバーなどのレンズ情報は、レンズ装置１０又はレンズ情報表示装置２０のメモリから取得した仕様データ及び位置データに基づいて算出することが可能である。
【００２０】
尚、レンズ装置１０により取得した各情報及びそれから算出した情報をファイル化し、ユーザが分かり易いファイル名（日付やシーンナンバー、場所の名前など）を指定してレンズ情報表示装置２０の所定のメモリ（内蔵の書替え可能なメモリや着脱可能の記録媒体等）に保存できるようにすると共に、読出し可能にし、必要に応じて読み出した情報をＬＣＤパネル２６に表示できるようにし、又はプリントアウトできるようにしてもよい。このようにすると、例えば映画製作などの場合はレンズ装置の焦点距離や絞り値などを各シーンに応じて使い分けるが、撮りなおしを後日行なう場合に前回の撮影条件を簡単に記憶しておくことができ、それをＬＣＤパネル２６に表示等させることで、前回と同じ撮影条件で撮りなおしを行なうことができるので便利である。
【００２１】
図２は、ＬＣＤパネル２６に表示されるレンズ情報の一例を示した図である。同図に示すように画面上部の符号４０で示す部分には、レンズ装置１０の型名の情報が例えば「ＨＡ２０×７．５Ｅ」と表示されている。その下の符号４２で示す部分には、被写体距離の情報が例えば「４．９９ｍ」と表示され、更にその下の符号４４で示す部分には被写界深度の情報が、例えば前方被写界深度については「−３．１８ｍ」、後方被写界深度については「＋∞ｍ」と表示されている。被写界深度の表示の下の符号４６で示す部分には焦点距離の情報が例えば「７．５ｍｍ」と表示され、更にその下の符号４８で示す部分には画角の情報が、例えば、水平方向については「６５°１１′」、垂直方向については「３９°３２′」と表示されている。被写体距離の表示の左側の符号５０で示す部分には、Ｆナンバーの情報が、例えば「２．２」と表示され、焦点距離の表示の左側の符号５２で示す部分には、Ｔナンバーの情報が例えば「２．４」と表示されている。
【００２２】
尚、上述の各種レンズ情報は、レンズ装置１０において現在設定されているズームレンズ位置、フォーカスレンズ位置、エクステンダレンズ位置、絞り位置を示す位置データ（各ポテンショメータＺＰ、ＦＰ、ＥＰ、ＩＰにより得られた位置信号）に基づいて求めたものであるが、これらの位置データを使用する代わりにレンズ装置１０のＣＰＵ１４に与えられている目標位置を示す各種制御信号  （ズーム制御信号、フォーカス制御信号、エクステンダ制御信号、アイリス制御信号のうち目標位置を指示するもの、以下、制御情報という）をレンズ情報表示装置２０のＣＰＵ２２で取得し、その制御情報に基づいて上述と同様のレンズ情報を求め、ＬＣＤパネル２６に表示させるようにしてもよい。この場合にＬＣＤパネル２６に表示される各レンズ情報は、現在の制御信号の状態において最終的に達成される目標的な値を示す。
【００２３】
また、以上のようなレンズ情報の種類や表示形態（数値表示と図形表示、メートル表示とヤード・ポンド表示、画面サイズ１６：９における画角表示と画面サイズ４：３における画角表示等）を切替可能にしてもよい。
【００２４】
次に、ＬＣＤパネル２６に表示されるレンズ情報のうち、本発明の対象となる被写体距離の表示に関する処理について説明する。被写体距離を求めるためには、フォーカスレンズ位置と被写体距離とを対応付けることが必要である。本実施の形態では、フォーカスレンズ位置と被写体距離とを対応付けるための一つの方法として、何点かのフォーカスレンズ位置を示す位置データと、各点のフォーカスレンズ位置に対応する被写体距離の実測値を示す距離データを事前に記憶しておく方法を採用する。この記憶しておいたフォーカスレンズ位置の位置データと被写体距離の距離データに基づいてフォーカスレンズ位置と被写体距離との関係を示す距離関数を求めることができ、レンズ装置１０から取得したフォーカスレンズ位置に対応する被写体距離（フォーカスレンズ位置において合焦される被写体距離）を求めることができる。
【００２５】
被写体距離の実測値を示す距離データの入力は、まず、レンズ情報表示装置２０における操作スイッチ部３０の所定のスイッチ（モードスイッチ）を操作して書込みモードに設定する。そして、例えば、ある位置に測定物を配置してレンズ装置１０からその測定物までの距離を実測しておき、レンズ装置１０のフォーカスレンズＦＬを駆動してその測定物にピントを合わせる。そして、操作スイッチ部３０の所定のスイッチによって測定物までの距離の実測値（距離データ）を入力する。これによって、そのときレンズ装置１０から取得されたフォーカスレンズ位置を示す位置データと測定物までの距離の実測値として入力された距離データとが関連付けされてＥＥＰＲＯＭ３２に書き込まれる。このような作業を測定物の距離を変えて繰り返し行うことで、フォーカスレンズ位置についての複数の位置データと各位置データに対応する距離データとが関連付けされてＥＥＰＲＯＭ３２に記憶される。尚、このようにフォーカスレンズ位置と被写体距離とを対応付けるデータを本明細書では、特性データという。
【００２６】
また、距離データの入力時において操作者は、フォーカスレンズＦＬを至近側から無限遠側に操作しながら測定物にピントを合わせて、距離データを入力する手順と、フォーカスレンズＦＬを無限遠側から至近側に操作しながら測定物にピントを合わせて、距離データを入力する手順の両方を行う。ＣＰＵ２２は、レンズ装置１０から取得するフォーカスレンズ位置の変化からフォーカスレンズＦＬの操作方向（移動方向）を検出しており、距離データが入力された際のフォーカスレンズ位置に到達するまでのフォーカスレンズＦＬの移動方向が至近側から無限遠側か、又は、無限遠側から至近側かを判断する。フォーカスレンズＦＬの移動方向が至近側から無限遠側の場合には、フォーカスレンズ位置の位置データとそのとき入力された距離データをＥＥＰＲＯＭ３２の[ 至近→∞] エリアに記憶させる。一方、フォーカスレンズＦＬの移動方向が無限遠側から至近側の場合には、フォーカスレンズ位置の位置データとそのとき入力された距離データをＥＥＰＲＯＭ３２の[ ∞→至近] エリアに記憶させる。これにより、図３（Ａ）、（Ｂ）に示すようにフォーカスレンズ位置の位置データとそれに対応する被写体距離の距離データとが特性データとしてフォーカスレンズＦＬの移動方向に応じたＥＥＰＲＯＭ３２の[ 至近→∞] エリアと[ ∞→至近] エリアに分類されて記憶される。
【００２７】
一方、レンズ装置１０において現在設定されているフォーカスレンズ位置に対応する被写体距離をＬＣＤパネル２６に表示させたい場合には、操作スイッチ部３０の所定のスイッチ（モードスイッチ）により表示モードに設定する。ＣＰＵ２２は、レンズ装置１０からフォーカスレンズ位置を示す位置データを逐次取得すると共に、その取得した位置データの変化からフォーカスレンズＦＬの操作方向（移動方向）を検出する。そして、フォーカスレンズＦＬの移動方向が至近側から無限遠側か、又は、無限遠側から至近側かを判断する。フォーカスレンズＦＬの移動方向が至近側から無限遠側の場合には、これと同一移動方向のエリア、即ち、図３（Ａ）に示したようにＥＥＰＲＯＭ３２の[ 至近→∞] エリアに記憶されている特性データ（位置データ及び距離データ）を使用して距離関数を求め、その距離関数を使用して現在のフォーカスレンズ位置に対応する被写体距離を算出する。
【００２８】
具体的には、まず、ＥＥＰＲＯＭ３２の[ 至近→∞] エリアに記憶されている特性データのうち、現在のフォーカスレンズ位置に近いものを複数組選出して適当な関数、例えば、ｙを被写体距離、ｘをフォーカスレンズ位置として、
【００２９】
【数１】
ｙ＝ａ／（ｘ−ｂ）＋ｃ  …（１）
を求める。この例の場合、３個の定数ａ、ｂ、ｃを求める必要があるためフォーカスレンズ位置の位置データとそれに対応する被写体距離の距離データを３組  （ｘ１、ｙ１）、（ｘ２、ｙ２）、（ｘ３、ｙ３）を選出し、
次式、
【００３０】
【数２】
ｙ１＝ａ／（ｘ１−ｂ）＋ｃ
ｙ２＝ａ／（ｘ２−ｂ）＋ｃ
ｙ３＝ａ／（ｘ３−ｂ）＋ｃ
により3 元連立方程式を作成して定数ａ、ｂ、ｃを求める。そして、求めた定数ａ、ｂ、ｃを上式（１）に代入すると共に現在のフォーカスレンズ位置を示す位置データを上式（１）のｘに代入して被写体距離ｙを算出する。
【００３１】
同様に、フォーカスレンズＦＬの移動方向が無限遠側から至近側の場合には、図３（Ｂ）に示したようにＥＥＰＲＯＭ３２の[ ∞→至近] エリアに記憶されている特性データ（位置データ及び距離データ）を使用して距離関数を求め、その距離関数を使用して現在のフォーカスレンズ位置に対応する被写体距離を算出する。そして、以上のように算出した被写体距離をＬＣＤパネル２６に表示させる。
【００３２】
このようにフォーカスレンズＦＬの移動方向別にフォーカスレンズ位置と被写体距離とを対応付ける特性データを事前に生成してＥＥＰＲＯＭ３２に格納しておき、フォーカスレンズ位置に対応した被写体距離を表示する際には、フォーカスレンズＦＬの移動方向に対応する特性データを使用して被写体距離を求めることにより、フォーカスレンズＦＬとポテンショメータＦＰとの機械的・電気的ガタによる誤差を無くすことができる。
【００３３】
尚、被写体距離の表示において、上述のようにレンズ装置１０のＣＰＵ１４に与えられているフォーカス制御信号をレンズ情報表示装置２０のＣＰＵ２２で取得し、そのフォーカス制御信号が指示するフォーカスレンズＦＬの目標位置に対応する被写体距離を求めてＬＣＤパネル２６に表示させるようにしても良い。
【００３４】
また、上記ＥＥＰＲＯＭ３２の代わりに他の種類の記憶手段を用いてもよくレンズ情報表示装置２０に対して着脱可能な記録媒体であってもよい。
【００３５】
次に、レンズ情報表示装置２０のＣＰＵ２２における被写体距離の表示に関する処理手順について図４のフローチャート用いて説明する。
【００３６】
電源が投入されると、ＣＰＵ２２は所要の初期設定を行った後（ステップＳ１０）、レンズ装置１０との通信接続を行う（ステップＳ１２）。次に、レンズ装置１０から現在のフォーカスレンズ位置（位置データ）を受信する（ステップＳ１４）。続いて、操作スイッチ部３０の所定のスイッチ（モードスイッチ）の状態を読み込み（ステップＳ１６）、書込みモードか否かを判定する（ステップＳ１８）。ここで、ＹＥＳと判定した場合、操作者が上述のように所定の測定物にピントを合わせて、距離実測値を手動入力すると（ステップＳ２０）、ＣＰＵ２２は、入力された実測値を距離データとする（ステップＳ２２）。そして、フォーカスレンズＦＬの操作方向（移動方向）を検出し（ステップＳ２４）、その移動方向が無限遠側から至近側か否かを判定する（ステップＳ２６）。ここで、ＹＥＳと判定した場合には、現在のフォーカスレンズ位置（位置データ）と上記距離データをＥＥＰＲＯＭ３２の[ ∞→至近] エリアに記憶させる（ステップＳ２８）。一方、ＮＯと判定した場合には、現在のフォーカスレンズ位置（位置データ）と上記距離データをＥＥＰＲＯＭ３２の[ 至近→∞] エリアに記憶させる（ステップＳ３０）。そして、距離データ（入力された実測値）をＬＣＤパネル２６に表示させ（ステップＳ４８）、上記ステップＳ１４に戻る。
【００３７】
上記ステップＳ１８においてＮＯ、即ち、表示モードに設定されていると判定した場合には、フォーカスレンズＦＬの操作方向（移動方向）を検出し（ステップＳ４０）、その移動方向が無限遠側から至近側か否かを判定する（ステップＳ４２）。ここで、ＹＥＳと判定した場合には、ＥＥＰＲＯＭ３２の[ ∞→至近] エリアに記憶されている記憶データと、現在のフォーカスレンズ位置（位置データ）とに基づいて被写体距離を示す距離データを算出する（ステップＳ４４）。一方、ＮＯと判定した場合には、ＥＥＰＲＯＭ３２の[ 至近→∞] エリアに記憶されている記憶データと、現在のフォーカスレンズ位置（位置データ）とに基づいて被写体距離を示す距離データを算出する（ステップＳ４６）。そして、算出した距離データをＬＣＤパネル２６に表示させて、上記ステップＳ１４に戻る。
【００３８】
以上、上記実施の形態で示した特性データは、フォーカスレンズ位置と被写体距離とを対応付けるデータであればどのようなものであってもよく、例えば、フォーカスレンズ位置と被写体距離との関係を示す距離関数であっても良いし、フォーカスレンズ位置を被写体距離に直接的に変換する変換テーブルであってもよい。
【００３９】
【発明の効果】
以上説明したように本発明に係る被写体距離表示装置によれば、フォーカスレンズ位置と被写体距離とを対応付ける特性データをフォーカスレンズの移動方向ごとに記憶しておき、フォーカスレンズの移動方向に応じた特性データに基づいてフォーカスレンズ位置から被写体距離を算出するようにしたため、フォーカスレンズの移動方向の違いによって被写体距離に誤差が生じる不具合が解消される。
【図面の簡単な説明】
【図１】図１は、本発明が適用されるテレビレンズシステムの全体構成を示した制御ブロック図である。
【図２】図２は、被写体距離表示装置のＬＣＤパネルに表示されるレンズ情報の一例を示した図である。
【図３】図３（Ａ）、（Ｂ）は、フォーカスレンズの移動方向別に記憶されるデータの説明に使用した説明図である。
【図４】図４は、被写体距離表示装置のＣＰＵにおける被写体距離の表示に関する処理手順を示したフローチャートである。
【符号の説明】
１０…レンズ装置、１４…ＣＰＵ、２０…レンズ情報表示装置（被写体距離表示装置）、２２…ＣＰＵ、２６…ＬＣＤパネル、２８…表示用ドライバ、３０…操作スイッチ部、３２…ＥＥＰＲＯＭ
【図１】
0003804529.tif 000002
【図２】
0003804529.tif 000003
【図３】
0003804529.tif 000004
【図４】
0003804529.tif 000005